(57)【要約】【課題】印刷ジョブの実行に認証入力を要するプリンタ装置にユーザが認証入力しに行くタイミングを決定するのに有用な情報を所望のタイミングでユーザに供給すること。【解決手段】アプリケーションプログラムで作成した原稿画像の印刷要求を入力部１９から入力する際に、その原稿画像の印刷ジョブに対する認証入力を要求するメッセージを出力部２０に表示させる告知タイミングを、出力部２０の詳細設定プロパティ画面上でユーザが選択指定すると、その内容を示す告知タイミング情報が印刷ジョブと共にクライアント端末１４からインクジェット記録装置１の制御ユニット１０に出力される。制御ユニット１０では、印刷ジョブの入力時に認証入力の受付開始タイミングを推定し、ユーザが選択指定した告知タイミングが到来すると、認証入力要求信号を出力して、クライアント端末１４の出力部２０に認証入力要求画面を表示させる。【選択図】図１
2010082807.tif 000002
【特許請求の範囲】
【請求項１】
外部から入力された印刷ジョブに対する受付手段からの認証入力を受け付け、該受け付けた認証入力の内容を、前記印刷ジョブと共に外部から入力された認証データの内容と照合して認証可と判断した場合に、前記印刷ジョブによる印刷処理を実行するプリンタ装置において、
外部から前記印刷ジョブが入力された際に、該入力された印刷ジョブに対する前記認証入力の受け付けが可能となる受付開始タイミングを、前記認証入力を受け付けていない待機中の印刷ジョブの入力順に基づいて推定する推定手段と、
前記推定手段が推定した受付開始タイミングを基準にし、前記印刷ジョブと共に外部から入力された、前記受付開始タイミングを基準にした前記認証入力の要求の告知タイミングに基づいて、前記入力された印刷ジョブに対する前記認証入力を要求する認証要求タイミングを決定する決定手段と、
前記決定手段が決定した認証要求タイミングにおいて、前記入力された印刷ジョブに対する前記認証入力を、該入力された印刷ジョブの出力元に対して要求する要求手段と、
を備えることを特徴とするプリンタ装置。
【請求項２】
前記要求手段は、前記受付開始タイミングの所定時間後の受付終了タイミングにおいて、前記出力元に対して未入力の前記認証入力を再度要求することを特徴とする請求項１記載のプリンタ装置。
【請求項３】
前記要求手段は、前記受付開始タイミングの所定時間後の受付終了タイミングにおいて、前記要求手段が前記認証入力を要求した前記出力元から入力された印刷ジョブの次に入力された印刷ジョブの出力元に対して、該次に入力された印刷ジョブに対する前記認証入力を要求することを特徴とする請求項１記載のプリンタ装置。
【請求項４】
前記要求手段が前記出力元に対して要求した前記認証入力の前記受付開始タイミングから、該受付開始タイミングの所定時間後の受付終了タイミングまでの間、前記受付手段からの認証入力を受け付ける対象を、前記要求手段が前記認証入力を要求した前記出力元から入力された印刷ジョブに対する前記認証入力のみに制限する制限手段とをさらに備えることを特徴とする請求項１、２又は３記載のプリンタ装置。
【請求項５】
前記要求手段により前記出力元に対して前記認証入力を要求する際に、該認証入力の対象となる前記入力された印刷ジョブによる前記印刷処理に関するウォーニング情報を出力する情報出力手段をさらに備えることを特徴とする請求項１、２、３又は４記載のプリンタ装置。
【請求項６】
印刷ジョブを、該印刷ジョブによる印刷処理を実行するプリンタ装置に出力するプリンタドライバ装置において、
前記プリンタ装置における前記印刷ジョブに対する認証入力の受け付けが可能となる受付開始タイミングを基準にした、前記プリンタ装置による前記認証入力の要求の告知タイミングを設定する設定手段と、
前記設定手段により入力された前記告知タイミングを前記印刷ジョブと共に前記プリンタ装置に出力する告知出力手段と、
を備えることを特徴とするプリンタドライバ装置。
【請求項７】
前記認証入力を受け付けていない前記印刷ジョブの入力順と前記告知タイミングとに基づいて前記プリンタ装置が決定した認証要求タイミングにおいて、該プリンタ装置から入力される、前記プリンタ装置に出力した印刷ジョブに対する前記認証入力の要求に応じて、該認証入力の要求メッセージをメッセージ出力手段から出力させる出力制御手段をさらに備えることを特徴とする請求項６記載のプリンタドライバ装置。
【請求項８】
前記出力制御手段は、前記プリンタ装置から、該プリンタ装置に出力した印刷ジョブに対する前記認証入力の要求と共に入力される、該認証入力の対象となる前記入力された印刷ジョブによる前記印刷処理に関するウォーニング情報に応じて、該ウォーニング情報の報知メッセージを前記認証入力の要求メッセージと共に前記メッセージ出力手段から出力させることを特徴とする請求項７記載のプリンタドライバ装置。
【発明の詳細な説明】
【技術分野】
【０００１】
本発明は、外部から入力された印刷ジョブに対する受付手段からの認証入力を受け付け、該受け付けた認証入力の内容を、前記印刷ジョブと共に外部から入力された認証データの内容と照合して認証可と判断した場合に、前記印刷ジョブによる印刷処理を実行するプリンタ装置と、指定されたファイルのファイルデータをページ記述言語による中間データに変換した印刷ジョブを、該印刷ジョブによる印刷処理を実行するプリンタ装置に出力するプリンタドライバ装置とに関する。
【背景技術】
【０００２】
プリンタ装置の分野においては、これに接続されたクライアント端末等からの印刷ジョブをプリンタ装置で実行するのに当たって、プリンタ装置での認証入力を必要とするものがある。そのようなプリンタ装置では、クライアント端末から印刷ジョブを出力しても、ユーザがプリンタ装置に出向いて認証入力を行わなければ、プリンタ装置に印刷ジョブを実行させてドキュメントをプリントアウトさせることができない。このようなプリンタ装置の認証システムは、プリントアウトされるドキュメントの第三者による持ち出し等を防止することができるので、ドキュメントの秘匿性を確保する上で有用である。
【０００３】
ところで、上述した認証システムを伴うプリンタ装置では、ネットワーク接続されたあるクライアント端末のユーザが認証入力を行っている間は、他のネットワーク接続されたクライアント端末のユーザによる認証入力を受け付けることができない。
【０００４】
したがって、複数のクライアント端末からそれぞれ出力された印刷ジョブの認証入力のためにそれぞれのユーザが同時期にプリンタ装置に向かうと、先着したユーザの認証入力が終わるまで他のユーザは認証入力を待たなければならない。
【０００５】
そこで、例えば医療機関における診察順が回ってきた外来患者の呼び出しや、銀行における取扱順が回ってきた利用客の呼び出し等に利用される順番管理（順番通知）システム（例えば特許文献１，２）を、プリンタ装置における認証システムに応用することが考えられる。
【特許文献１】特開２００３−４４６８４号公報
【特許文献２】特開２００５−１４３６４８号公報
【発明の開示】
【発明が解決しようとする課題】
【０００６】
上述した順番管理（順番通知）システムでは、サーバ側からユーザの端末に通知が送られるのが、順番の登録を受け付け時点や順番の到来時点といった、サーバ側で発生するイベントに応じた時点である。このため、ユーザは、サーバ側でこれらのイベントが発生したタイミングでしか、端末で受け取ったサーバからの通知を利用して自身の行動予定を検討し決定することができない。
【０００７】
本発明は前記事情に鑑みなされたものであり、本発明の目的は、入力された印刷ジョブに対する認証入力を受け付けてその内容が認証可であると判断した場合に、印刷ジョブの印刷処理をプリンタ装置において実行する場合に、ユーザがプリンタ装置へ認証入力しに行くタイミングを検討、決定するのに有用な情報を、ユーザの所望のタイミングでユーザに供給することができるプリンタ装置やプリンタドライバ装置を提供することにある。
【課題を解決するための手段】
【０００８】
上記目的を達成するために、請求項１に記載した本発明のプリンタ装置は、
外部（例えば、図１のクライアント端末１４）から入力された印刷ジョブに対する受付手段（例えば、図１のディスプレイ１１０）からの認証入力を受け付け、該受け付けた認証入力の内容を、前記印刷ジョブと共に外部から入力された認証データの内容と照合して認証可と判断した場合に、前記印刷ジョブによる印刷処理を実行するプリンタ装置（例えば、図１のインクジェット記録装置１）において、
外部から前記印刷ジョブが入力された際に、該入力された印刷ジョブに対する前記認証入力の受け付けが可能となる受付開始タイミングを、前記認証入力を受け付けていない待機中の印刷ジョブの入力順に基づいて推定する推定手段（例えば、図１の制御ユニット１０のＣＰＵ９０、図２１のステップＳ１１３）と、
前記推定手段が推定した受付開始タイミングを基準にし、前記印刷ジョブと共に外部から入力された、前記受付開始タイミングを基準にした前記認証入力の要求の告知タイミング（例えば、図４のプロパティ画面の選択肢（ａ）〜（ｅ）のいずれか）に基づいて、前記入力された印刷ジョブに対する前記認証入力を要求する認証要求タイミングを決定する決定手段（例えば、図１の制御ユニット１０のＣＰＵ９０、図２１のステップＳ１１７）と、
前記決定手段が決定した認証要求タイミングにおいて、前記入力された印刷ジョブに対する前記認証入力を、該入力された印刷ジョブの出力元に対して要求する要求手段（例えば、図１の制御ユニット１０のＣＰＵ９０、図２２のステップＳ３１５）と、
を備えることを特徴とする。
【０００９】
請求項１に記載した本発明のプリンタ装置によれば、外部から入力された印刷ジョブに対する認証入力の受け付けが可能となる受付開始タイミングが、認証入力を受け付けていない待機中の印刷ジョブの入力順に基づいて、推定手段により推定される。
【００１０】
そして、印刷ジョブと共に外部から入力された、受付開始タイミングを基準にした認証入力の要求の告知タイミングに基づいて、入力された印刷ジョブに対する認証入力を要求するタイミング（認証要求タイミング）が、推定手段により推定された受付開始タイミングを基準にして決定手段により決定される。さらに、決定手段により決定された認証要求タイミングが到来すると、要求対象となる印刷ジョブの出力元に対して、要求手段により認証入力が要求される。
【００１１】
したがって、印刷ジョブと共に外部から入力された告知タイミングに基づいて、印刷ジョブの出力元に認証入力が要求される認証要求タイミングを、決定手段によって、プリンタ装置側において発生するイベントとは無関係なタイミングに決定させることができる。これにより、ユーザがプリンタ装置に認証入力しに行くタイミングを検討、決定するのに有用な認証入力要求を、ユーザの所望のタイミングでユーザに供給することができる。
【００１２】
なお、上記目的を達成するために、次のような参考例のプリンタ制御プログラムを構成することもできる。即ち、参考例のプリンタ制御プログラムは、
外部から入力された印刷ジョブに対する受付手段からの認証入力を受け付け、該受け付けた認証入力の内容を、前記印刷ジョブと共に外部から入力された認証データの内容と照合して認証可と判断した場合に、前記印刷ジョブによる印刷処理をプリンタ装置に実行させるコンピュータを、
外部から前記印刷ジョブが入力された際に、該入力された印刷ジョブに対する前記認証入力の受け付けが可能となる受付開始タイミングを、前記認証入力を受け付けていない待機中の印刷ジョブの入力順に基づいて推定する推定手段と、
前記推定手段が推定した受付開始タイミングを基準にし、前記印刷ジョブと共に外部から入力された、前記受付開始タイミングを基準にした前記認証入力の要求の告知タイミングに基づいて、前記入力された印刷ジョブに対する前記認証入力を要求する認証要求タイミングを決定する決定手段と、
前記決定手段が決定した認証要求タイミングにおいて、前記入力された印刷ジョブに対する前記認証入力を、該入力された印刷ジョブの出力元に対して要求する要求手段、
として機能させるためのプリンタ制御プログラムであることを特徴とする。
【００１３】
このように構成した参考例のプリンタ制御プログラムによっても、請求項１に記載した本発明のプリンタ装置と同様の作用効果を得ることができる。
【００１４】
また、請求項２に記載した本発明のプリンタ装置は、請求項１に記載した本発明のプリンタ装置において、前記要求手段が、前記受付開始タイミングの所定時間後の受付終了タイミングにおいて、前記出力元に対して未入力の前記認証入力を再度要求することを特徴とする。
【００１５】
請求項２に記載した本発明のプリンタ装置によれば、請求項１に記載した本発明のプリンタ装置において、受付開始タイミングが到来した印刷ジョブに対する認証入力が、所定時間後まで受付手段から行われなかった場合に、その印刷ジョブの出力元に対して、要求手段により認証入力が再び要求される。
【００１６】
このため、認証入力の受け付けが可能となった印刷ジョブに対する認証入力が、受付開始タイミングから所定時間の間に受付手段において行われなくても、その印刷ジョブの出力元のユーザに対して認証入力を忘れず行うように促すことができる。
【００１７】
なお、上述した参考例の第１の変形例に係るプリンタ制御プログラムのように、上述した参考例に係るプリンタ制御プログラムにおいて、前記要求手段が、前記受付開始タイミングの所定時間後の受付終了タイミングにおいて、前記出力元に対して未入力の前記認証入力を再度要求するように、前記コンピュータを機能させるためのプリンタ制御プログラムを構成してもよい。このように構成したプリンタ制御プログラムによっても、請求項２に記載した本発明のプリンタ装置と同様の作用効果を得ることができる。
【００１８】
また、請求項３に記載した本発明のプリンタ装置は、請求項１に記載した本発明のプリンタ装置において、前記要求手段が、前記受付開始タイミングの所定時間後の受付終了タイミングにおいて、前記要求手段が前記認証入力を要求した前記出力元から入力された印刷ジョブの次に入力された印刷ジョブの出力元に対して、該次に入力された印刷ジョブに対する前記認証入力を要求することを特徴とする。
【００１９】
請求項３に記載した本発明のプリンタ装置によれば、請求項１に記載した本発明のプリンタ装置において、受付開始タイミングが到来した印刷ジョブに対する認証入力が、所定時間後まで受付手段から行われなかった場合に、その印刷ジョブの次に入力された印刷ジョブの出力元に対して、要求手段により認証入力が要求される。
【００２０】
このため、認証入力の受け付けが可能となった印刷ジョブに対する認証入力が、受付開始タイミングから所定時間の間に受付手段において行われなかった場合に、その次に入力された印刷ジョブの出力元のユーザに対して認証入力を要求して、プリンタ装置における印刷ジョブに対する認証入力とそれに伴う印刷ジョブの実行とが滞留するのを防止することができる。
【００２１】
なお、上述した参考例の第２の変形例に係るプリンタ制御プログラムのように、上述した参考例に係るプリンタ制御プログラムにおいて、前記要求手段が、前記受付開始タイミングの所定時間後の受付終了タイミングにおいて、前記要求手段が前記認証入力を要求した前記出力元から入力された印刷ジョブの次に入力された印刷ジョブの出力元に対して、該次に入力された印刷ジョブに対する前記認証入力を要求するように、前記コンピュータを機能させるためのプリンタ制御プログラムを構成してもよい。このように構成したプリンタ制御プログラムによっても、請求項３に記載した本発明のプリンタ装置と同様の作用効果を得ることができる。
【００２２】
また、請求項４に記載した本発明のプリンタ装置は、請求項１、２又は３に記載した本発明のプリンタ装置において、前記要求手段が前記出力元に対して要求した前記認証入力の前記受付開始タイミングから、該受付開始タイミングの所定時間後の受付終了タイミングまでの間、前記受付手段からの認証入力を受け付ける対象を、前記要求手段が前記認証入力を要求した前記出力元から入力された印刷ジョブに対する前記認証入力のみに制限する制限手段（例えば、図１の制御ユニット１０のＣＰＵ９０、図２３のステップＳ５１１）とをさらに備えることを特徴とする。
【００２３】
請求項４に記載した本発明のプリンタ装置によれば、請求項１、２又は３に記載した本発明のプリンタ装置において、ある印刷ジョブに対する認証入力を受け付けることが可能な受付開始タイミングが到来すると、それから所定時間が経過する受付終了タイミングまでの間、受付手段からの認証入力を受け付ける対象が、要求手段が直近の認証要求タイミングにおいて認証入力を要求した出力元からの印刷ジョブに対する認証入力のみに制限される。
【００２４】
このため、受付開始タイミングから受付終了タイミングまでの間、要求手段が直近に認証入力を要求した出力元の印刷ジョブに対する認証入力を優先して受付手段において受け付けできるようにして、印刷ジョブの入力順に認証入力とそれに伴う印刷ジョブの実行とが行われ易いようにすることができる。
【００２５】
なお、上述した参考例の第３の変形例に係るプリンタ制御プログラムのように、上述した参考例、その第１の変形例又は第２の変形例に係るプリンタ制御プログラムにおいて、前記コンピュータを、前記要求手段が前記出力元に対して要求した前記認証入力の前記受付開始タイミングから、該受付開始タイミングの所定時間後の受付終了タイミングまでの間、前記受付手段からの認証入力を受け付ける対象を、前記要求手段が前記認証入力を要求した前記出力元から入力された印刷ジョブに対する前記認証入力のみに制限する制限手段としてさらに機能させるためのプリンタ制御プログラムを構成してもよい。このように構成したプリンタ制御プログラムによっても、請求項４に記載した本発明のプリンタ装置と同様の作用効果を得ることができる。
【００２６】
また、請求項５に記載した本発明のプリンタ装置は、請求項１、２、３又は４に記載した本発明のプリンタ装置において、前記要求手段により前記出力元に対して前記認証入力を要求する際に、該認証入力の対象となる前記入力された印刷ジョブによる前記印刷処理に関するウォーニング情報を出力する情報出力手段（例えば、図１の制御ユニット１０のＣＰＵ１６、図２２のステップＳ３１５）をさらに備えることを特徴とする。
【００２７】
請求項５に記載した本発明のプリンタ装置によれば、請求項１、２、３又は４に記載した本発明のプリンタ装置において、決定手段により決定された認証要求タイミングが到来して、要求対象となる印刷ジョブの出力元に対して要求手段により認証入力が要求される際に、認証入力を要求する対象の印刷ジョブによる印刷処理に関するウォーニング情報が、認証入力の要求対象となる印刷ジョブの出力元に対して出力される。
【００２８】
このため、例えば、用紙切れ（用紙不足）とかインク（トナー）切れ（不足）等、認証入力後の印刷処理によって印刷処理が行われた場合に印刷ジョブを完了できない原因となるような状態に関するウォーニング情報を、受付手段から認証入力するためにプリンタ装置に向かうユーザに移動前に伝達し、ウォーニング情報に示された状態を解消するための作業を、認証入力と共に効率的に行わせることができる。
【００２９】
なお、上述した参考例の第４の変形例に係るプリンタ制御プログラムのように、上述した参考例、その第１の変形例、第２の変形例又は第３の変形例に係るプリンタ制御プログラムにおいて、前記コンピュータを、前記要求手段により前記出力元に対して前記認証入力を要求する際に、該認証入力の対象となる前記入力された印刷ジョブによる前記印刷処理に関するウォーニング情報を出力する情報出力手段としてさらに機能させるためのプリンタ制御プログラムとする構成としてもよい。このように構成したプリンタ制御プログラムによっても、請求項９又は１０に記載した本発明のプリンタ制御プログラム、又は、上述した第１の変形例乃至第３の変形例に係るプリンタ制御プログラムにおいて、請求項５に記載した本発明のプリンタ装置と同様の作用効果を得ることができる。
【００３０】
また、上記目的を達成するために、プリンタ制御プログラムを記録したコンピュータ読み取り可能な記録媒体として、上述した参考例、その第１の変形例、第２の変形例、又は、第３の変形例に係るプリンタ制御プログラムを記録したコンピュータ読み取り可能な記録媒体を構成してもよい。このように構成したプリンタ制御プログラムを記録したコンピュータ読み取り可能な記録媒体によっても、請求項１乃至請求項５のいずれかに記載した本発明のプリンタ装置や、参考例及びその第１乃至第４の変形例のいずれかに係るプリンタ制御プログラムと同様の作用効果を得ることができる。
【００３１】
また、上記目的を達成するために、請求項６に記載した本発明のプリンタドライバ装置は、
指定されたファイルのファイルデータをページ記述言語による中間データに変換した印刷ジョブを、該印刷ジョブによる印刷処理を実行するプリンタ装置（例えば、図１のインクジェット記録装置１）に出力するプリンタドライバ装置（例えば、図１のクライアント端末１４）において、
前記プリンタ装置における前記印刷ジョブに対する認証入力の受け付けが可能となる受付開始タイミングを基準にした、前記プリンタ装置による前記認証入力の要求の告知タイミングを設定する設定手段（例えば、図１のクライアント端末１４のＣＰＵ１６、入力部１９、出力部２０、及び、図１１のステップＳ１３及びステップＳ１５）と、
前記設定手段により入力された前記告知タイミングを前記印刷ジョブと共に前記プリンタ装置に出力する告知出力手段（例えば、図１のクライアント端末１４のＣＰＵ１６、及び、図１１のステップＳ１７）と、
を備えることを特徴とする。
【００３２】
請求項６に記載した本発明のプリンタドライバ装置によれば、指定されたファイルの印刷ジョブをプリンタ装置に実行させるために必要な認証入力の要求を、プリンタ装置から告知させる告知タイミングを、プリンタ装置における印刷ジョブに対する認証入力の受け付けが可能となる受付開始タイミングを基準にして設定手段により設定すると、設定した告知タイミングが告知出力手段によって、印刷ジョブと共にプリンタ装置に出力される。
【００３３】
したがって、印刷ジョブと共に出力された告知タイミングが入力されるプリンタ装置において、入力された印刷ジョブに対する認証入力の受付開始タイミングが定まった時点で、その受付開始タイミングを基準にした告知タイミングで認証入力の要求を告知させることができる。
【００３４】
これにより、印刷ジョブに対する認証入力の要求がプリンタ装置から告知されるタイミングを、受付開始タイミング等のプリンタ装置側において発生するイベントとは無関係なタイミングに決定させることができる。これにより、ユーザがプリンタ装置に認証入力しに行くタイミングを検討、決定するのに有用な認証入力の要求を、ユーザの所望のタイミングでユーザに告知することができる。
【００３５】
なお、上記目的を達成するために、次のような参考例のプリンタドライバプログラムを構成することもできる。即ち、参考例のプリンタドライバプログラムは、
指定されたファイルのファイルデータをページ記述言語による中間データに変換した印刷ジョブを、該印刷ジョブによる印刷処理を実行するプリンタ装置に出力するコンピュータを、
前記プリンタ装置における前記印刷ジョブに対する認証入力の受け付けが可能となる受付開始タイミングを基準にした、前記プリンタ装置による前記認証入力の要求の告知タイミングを設定する設定手段と、
前記設定手段により入力された前記告知タイミングを前記印刷ジョブと共に前記プリンタ装置に出力する告知出力手段、
として機能させるためのプリンタドライバプログラムであることを特徴とする。
【００３６】
このように構成した参考例のプリンタドライバプログラムによっても、請求項６に記載した本発明のプリンタドライバ装置と同様の作用効果を得ることができる。
【００３７】
また、請求項７に記載した本発明のプリンタドライバ装置は、請求項６に記載した本発明のプリンタドライバ装置において、前記認証入力を受け付けていない前記印刷ジョブの入力順と前記告知タイミングとに基づいて前記プリンタ装置が決定した認証要求タイミングにおいて、該プリンタ装置から入力される、前記プリンタ装置に出力した印刷ジョブに対する前記認証入力の要求に応じて、該認証入力の要求メッセージをメッセージ出力手段（例えば、図１のクライアント端末１４の出力部２０）から出力させる出力制御手段（例えば、図１のクライアント端末１４のＣＰＵ１６、図１４のステップＳ５３）をさらに備えることを特徴とする。
【００３８】
請求項７に記載した本発明のプリンタドライバ装置によれば、請求項６に記載した本発明のプリンタドライバ装置において、認証要求タイミングにおいてプリンタ装置から認証入力の要求が入力されると、認証入力の要求メッセージが出力制御手段によりメッセージ出力手段から出力される。
【００３９】
このため、メッセージ出力手段から出力される認証入力の要求メッセージによって、ユーザがプリンタ装置に認証入力しに行くタイミングを検討、決定するのに有用な認証入力の要求を、ユーザに確実に告知し認識させることができる。
【００４０】
なお、上述した参考例の第１の変形例に係るプリンタドライバプログラムのように、上述した参考例に係るプリンタドライバプログラムにおいて、前記コンピュータを、前記認証入力を受け付けていない前記印刷ジョブの入力順と前記告知タイミングとに基づいて前記プリンタ装置が決定した認証要求タイミングにおいて、該プリンタ装置から入力される、前記プリンタ装置に出力した印刷ジョブに対する前記認証入力の要求に応じて、該認証入力の要求メッセージをメッセージ出力手段から出力させる出力制御手段としてさらに機能させるためのプリンタドライバプログラムを構成してもよい。このように構成したプリンタ制御プログラムによっても、請求項７に記載した本発明のプリンタドライバ装置と同様の作用効果を得ることができる。
【００４１】
また、請求項８に記載した本発明のプリンタドライバ装置は、請求項７に記載した本発明のプリンタドライバ装置において、前記出力制御手段が、前記プリンタ装置から、該プリンタ装置に出力した印刷ジョブに対する前記認証入力の要求と共に入力される、該認証入力の対象となる前記入力された印刷ジョブによる前記印刷処理に関するウォーニング情報に応じて、該ウォーニング情報の報知メッセージを前記認証入力の要求メッセージと共に前記メッセージ出力手段から出力させることを特徴とする。
【００４２】
請求項８に記載した本発明のプリンタドライバ装置によれば、請求項７に記載した本発明のプリンタドライバ装置において、認証要求タイミングが到来すると、認証入力の要求と共にプリンタ装置から、認証入力の対象となる印刷ジョブによる印刷処理に関するウォーニング情報が入力される。そして、入力されたウォーニング情報の報知メッセージが認証入力の要求メッセージと共に、出力制御手段によってメッセージ出力手段から出力される。
【００４３】
このため、例えば、用紙切れ（用紙不足）とかインク（トナー）切れ（不足）等、認証入力後の印刷処理によってプリンタ装置で印刷処理が行われた場合に印刷ジョブを完了できない原因となるような状態に関するウォーニング情報を、メッセージ出力手段から認証入力の要求メッセージと共に出力される報知メッセージによって、認証入力のためにプリンタ装置に向かうユーザに対して移動前に伝達し、ウォーニング情報に示された状態を解消するための作業を、認証入力と共に効率的に行わせることができる。
【００４４】
なお、上述した参考例の第２の変形例に係るプリンタドライバプログラムのように、上述した参考例の第１の変形例に係るプリンタドライバプログラムにおいて、前記出力制御手段が、前記プリンタ装置から、該プリンタ装置に出力した印刷ジョブに対する前記認証入力の要求と共に入力される、該認証入力の対象となる前記入力された印刷ジョブによる前記印刷処理に関するウォーニング情報に応じて、該ウォーニング情報の報知メッセージを前記認証入力の要求メッセージと共に前記メッセージ出力手段から出力させるように、前記コンピュータを機能させるためのプリンタドライバプログラムを構成してもよい。このように構成したプリンタ制御プログラムによっても、請求項８に記載した本発明のプリンタドライバ装置と同様の作用効果を得ることができる。
【００４５】
また、上記目的を達成するために、プリンタドライバプログラムを記録したコンピュータ読み取り可能な記録媒体として、上述した参考例、その第１の変形例、又は、第２の変形例に係る本発明のプリンタドライバプログラムを記録したコンピュータ読み取り可能な記録媒体を構成してもよい。このように構成したプリンタ制御プログラムを記録したコンピュータ読み取り可能な記録媒体によっても、請求項６乃至請求項８のいずれかに記載した本発明のプリンタドライバ装置や、参考例及びその第１又は第２の変形例のいずれかに係るプリンタドライバプログラムと同様の作用効果を得ることができる。
【発明の効果】
【００４６】
本発明によれば、ユーザがプリンタ装置に認証入力しに行くタイミングを検討、決定するのに有用な認証入力要求を、ユーザの所望のタイミングでユーザに供給することができる。
【発明を実施するための最良の形態】
【００４７】
以下、本発明の実施形態について図面を参照しながら説明する。
【００４８】
図１は、本発明の一実施形態に係るプリンタネットワークシステムの概略構成を示す説明図である。
【００４９】
図１に示すように、本実施形態のプリンタネットワークシステムは、インクジェット記録装置１とクライアント端末１４とを有している。
【００５０】
図２に示すように、前記インクジェット記録装置１（請求項中のプリンタ装置に相当）は、原稿上の原稿画像を読み取って画像信号を出力するスキャナ部１０１と、スキャナ部１０１から出力された画像信号に基づいて記録紙Ｓ（片面又は両面）に原稿画像を印刷（記録）するプリンタ部１０２と、全体制御用の制御ユニット１０（図１参照）とを備えている。プリンタ部１０２における原稿画像の印刷に使用する記録紙Ｓは、給紙部１０５からプリンタ部１０２を介して排紙部１０９に搬送される。
【００５１】
図１に示すように、制御ユニット１０には、外部インターフェイス部１１を介して、後述するクライアント端末１４の外部インターフェイス部１５が接続されている。このクライアント端末１４から制御ユニット１０は、原稿画像の印刷ジョブを受け取る。制御ユニット１０は、受け取った印刷ジョブにより原稿画像のラスタデータを生成する。インクジェット記録装置１は、印刷ジョブにおいて指定された条件で、原稿画像の記録紙Ｓへの印刷をプリンタ部１０２において実行する。
【００５２】
また、制御ユニット１０にはディスプレイ１１０（請求項中の受付手段に相当）が接続されている。このディスプレイ１１０は、図２に示すように、インクジェット記録装置１の上部に配置されている。このディスプレイ１１０は、スキャナ部１０１にセットした原稿画像を複写印刷する複写モードでインクジェット記録装置１を使用する場合の、複写枚数や複写倍率といった複写条件をユーザが入力する入力操作部等として利用することができる。
【００５３】
上述したプリンタ部１０２に印刷動作を行わせるインクジェット記録装置１の制御ユニット１０は、図１に示すように、ＣＰＵ９０を備える。このＣＰＵ９０は、ＲＯＭ９１に格納されているプログラム及び設定情報に基づいて、ディスプレイ１１０から入力設定される内容に応じたスキャナ部１０１やプリンタ部１０２の動作を制御する。
【００５４】
なお、制御ユニット１０にはＲＡＭ９２が設けられており、ＲＡＭ９２にはディスプレイ１１０から入力された印刷枚数や各種の設定内容が随時記憶される。また、ＲＡＭ９２にはフレームメモリ領域が設けられている。このフレームメモリ領域には、クライアント端末１４から制御ユニット１０に入力された印刷ジョブによってＣＰＵ９０が生成する原稿画像のラスタデータが、プリンタ部１０２に出力されるまでの間、一時的に記憶される。
【００５５】
さらに、ＣＰＵ９０には外部記憶装置９３が接続されている。この外部記憶装置９３には、クライアント端末１４に対してユニークに付与されたクライアントＩＤと、クライアント端末１４のユーザに対してユニークに付与されたユーザＩＤとを関連付けたテーブルや、各ユーザに割り当てられたパスワード、ユーザの生体認証データ（指紋、静脈パターン等）、又は、ユーザが所持する個人認識カード内のＩＣや磁気テープ部分に格納された個体識別コードとユーザＩＤとを関連付けたテーブル等が記憶される。
【００５６】
制御ユニット１０のＣＰＵ９０がＲＯＭ９１のプログラムにしたがって行う処理の詳細については、後述する。
【００５７】
クライアント端末１４（請求項中のプリンタドライバ装置に相当）は、ＰＣ（パーソナルコンピュータ）等によって構成されるものであり、ＲＯＭ１７に格納された制御プログラムに基づいて各種の処理を実行するＣＰＵ１６と、ＣＰＵ１６のワーキングエリアとして機能するＲＡＭ１８と、キーボードやマウス等から構成される入力部１９と、液晶ディスプレイ等から構成される出力部２０（メッセージ出力手段に相当）とを備えている。
【００５８】
ＣＰＵ１６には、上述した外部インターフェイス部１５の他に、外部記憶装置２１とディスクドライブ２２とが接続されている。外部記憶装置２１には、原稿画像のデータを生成するためのアプリケーションプログラムの格納領域や、インクジェット記録装置１のプリンタドライバプログラムの格納領域、及び、アプリケーションプログラムを用いて生成された原稿画像のデータファイルを格納するデータベース領域等が確保されている。
【００５９】
ＣＰＵ１６は、入力部１９から入力される起動要求にしたがって外部記憶装置２１のアプリケーションプログラムを起動させ、また、入力部１９からのパラメータ入力等により指示された内容の原稿画像のデータを、起動されたアプリケーションプログラム上において生成する。生成された原稿画像のデータは出力部２０において表示出力され、また、入力部１９から保存要求が入力された場合には、外部記憶装置２１の原稿画像のデータのデータベース領域に記憶される。
【００６０】
外部記憶装置２１のデータベース領域に記憶された原稿画像のデータは、アプリケーションプログラムの起動中に入力部１９からの読み出し要求が入力された場合に、外部記憶装置２１から読み出される。読み出された原稿画像のデータは、出力部２０に表示出力することができ、また、アプリケーションプログラム上において加工して新たな原稿画像のデータに生成し直すこともできる。
【００６１】
そして、ＣＰＵ１６は、アプリケーションプログラムの起動中に入力部１９から、アプリケーションプログラムでファイルを開いた原稿画像の印刷要求が入力された場合に、印刷対象の原稿画像の印刷ジョブを生成して、生成した印刷ジョブを外部インターフェイス部１５から制御ユニット１０の外部インターフェイス部１１に出力する。この印刷ジョブは、外部記憶装置２１に格納されたプリンタドライバプログラムをＣＰＵ１６が実行することによって、制御ユニット１０に出力することができる。
【００６２】
プリンタドライバプログラムは、クライアント端末１４のディスクドライブ２２により光学ディスク等のディスク状記録媒体５０から読み取って、外部記憶装置２１にインストールする（記憶させる）ことができる。
【００６３】
ディスク状記録媒体５０のプリンタドライバプログラムが外部記憶装置２１にインストールされると、クライアント端末１４において起動されたアプリケーションプログラム上でデータを生成した原稿画像の印刷要求を入力部１９から入力した際に、ＣＰＵ１６によってプリンタドライバプログラムが起動される。
【００６４】
また、アプリケーションプログラムが起動されていなくても、外部記憶装置２１のデータベース領域にデータが格納された原稿画像の印刷要求を、出力部２０に表示させたＯＳ（オペレーションシステム）のファイル一覧画面において入力部１９により入力すると、その原稿画像のデータを生成するのに用いられたアプリケーションプログラムと共に、プリンタドライバプログラムがクライアント端末１４において起動される。
【００６５】
そして、ＣＰＵ１６は、アプリケーションプログラムによって開かれた印刷対象の原稿画像のファイルデータを用いて、起動されたプリンタドライバプログラムの処理を実行することで、原稿画像の印刷ジョブを生成し制御ユニット１０に出力する。
【００６６】
図３は、クライアント端末１４の出力部２０において表示される原稿画像の印刷設定画面の一例を示す説明図である。この印刷設定画面は、アプリケーションプログラムの印刷メニューにおける入力部１９の操作によって、原稿画像の印刷要求がＣＰＵ１６に入力されると、出力部２０に表示される。また、印刷設定画面は、ＯＳのファイル一覧画面上における入力部１９の操作によって、外部記憶装置２１のデータベース領域にファイルデータが記憶された１又は複数の原稿画像の指定及び印刷の要求がＣＰＵ１６に入力された場合にも、出力部２０に表示される。
【００６７】
この印刷設定画面においては、ＣＰＵ１６が制御ユニット１０に印刷ジョブを出力してインクジェット記録装置１に印刷動作させる原稿画像の、印刷範囲や印刷部数等を入力設定することができる。
【００６８】
また、図４は、クライアント端末１４の出力部２０において表示される認証順番到来通知設定のプロパティ画面の一例を示す説明図である。このプロパティ画面は、図３の印刷設定画面におけるプリンタのプロパティボタンが（入力部１９の操作によって）クリック操作されると、ＣＰＵ１６の制御により出力部２０に表示される。このプロパティ画面においては、インクジェット記録装置１のディスプレイ１１０における印刷ジョブの認証入力を要求するメッセージ（請求項中の要求メッセージに相当）を出力部２０に表示させるタイミング（請求項中の告知タイミングに相当）を、入力設定することができる。
【００６９】
印刷ジョブの認証入力を要求するメッセージを出力部２０に表示させるタイミングは、図４のプロパティ画面の画面上で、（ａ）〜（ｅ）の選択肢のラジオボタンを（入力部１９の操作によって）クリック操作することで、選択指定することができる。認証入力の要求メッセージを表示させるタイミングの選択肢（ａ）〜（ｅ）は、次のような内容である。
【００７０】
（ａ）「１つ前の印刷ジョブ（インクジェット記録装置１への入力順が１つ早い印刷ジョブ）による印刷処理の完了直後」、
（ｂ）「１つ前の印刷ジョブによる印刷処理の完了    分    秒前」、
（ｃ）「各印刷ジョブによる印刷処理の完了    分    秒前毎」、
（ｄ）「    時    分」、
（ｅ）「今から    分    秒後」。
【００７１】
なお、（ｂ）〜（ｅ）の各選択肢には、「分」と「秒」についてユーザの所望の数値を設定することができる。また、（ａ）〜（ｃ）の各選択肢は、これから出力する印刷ジョブに対する認証入力の受け付けがインクジェット記録装置１において可能となるタイミング（請求項中の受付開始タイミングに相当）を、ユーザが想定できない場合に専ら選択される。一方、そのタイミングをユーザがおおよそ想定できる場合には、（ｄ），（ｅ）の各選択肢が選択され、ユーザの想定に応じた時刻や時間の数値が設定されることになる。
【００７２】
図３の印刷設定画面や図４の詳細設定プロパティ画面において各項目の設定入力を（入力部１９の操作によって）行った後、図３の印刷設定画面にあるＯＫボタンを（入力部１９の操作によって）クリック操作すると、印刷対象の原稿画像の中間データがそれぞれ生成され、印刷ジョブとしてインクジェット記録装置１の制御ユニット１０に出力される。
【００７３】
このとき、図４の詳細設定プロパティ画面において（ａ）〜（ｅ）の選択肢の中から選択指定した、印刷ジョブの認証入力を要求するメッセージを出力部２０に表示させるタイミング（告知タイミング）の内容を示す告知タイミング情報が、印刷ジョブと共にインクジェット記録装置１の制御ユニット１０に出力される。
【００７４】
出力された印刷ジョブがインクジェット記録装置１の制御ユニット１０に入力されると、クライアント端末１４の出力部２０には、その印刷ジョブに対する認証入力の待機順を示す認証順番通知画面が表示される。
【００７５】
この認証順番通知画面には、図５に示すように、インクジェット記録装置１の制御ユニット１０に出力された印刷ジョブのジョブ名と、インクジェット記録装置１において認証入力待ちとなっている待機中の全印刷ジョブにおける、今回出力された印刷ジョブの順番（認証待ち順番）と、今回出力された印刷ジョブに対する認証入力の受け付けが可能となる受付開始タイミングまでの予想待ち時間とが表示される。
【００７６】
また、印刷ジョブと共にインクジェット記録装置１の制御ユニット１０に出力した告知タイミング情報が到来すると、クライアント端末１４の出力部２０には、認証入力の要求メッセージが表示される。この要求メッセージは、図４の詳細設定プロパティ画面において、告知タイミングとして上述した（ａ），（ｄ），（ｅ）を選択指定した場合と、（ｂ），（ｃ）を選択指定した場合とで異なる。
【００７７】
まず、（ａ），（ｄ），（ｅ）を選択指定した場合は、図６に示すように、「認証入力の順番になりましたので、（インクジェット記録装置１のディスプレイ１１０から）認証入力を行ってください。」との要求メッセージを含む認証入力要求画面が、クライアント端末１４の出力部２０に表示される。
【００７８】
一方、（ｂ），（ｃ）を選択指定した場合は、図７に示すように、「あと３分で認証入力の順番になります。認証入力（のためにインクジェット記録装置１のディスプレイ１１０）に向かって下さい。」との要求メッセージが、クライアント端末１４の出力部２０に表示される。なお、「あと３分で、」の部分は、（ｂ），（ｃ）の数値の部分に設定した時間に応じて内容が変化する。
【００７９】
クライアント端末１４における以上の動作は、ディスクドライブ２２がこれにセットしたディスク状記録媒体５０から読み出して外部記憶装置２１にインストールしたプリンタドライバプログラムを、ＣＰＵ１６が実行することで実現される。
【００８０】
次に、クライアント端末１４のＣＰＵ１６が、外部記憶装置２１にインストールされたインストールプログラムを実行することにより行う、原稿画像の印刷処理の手順について、図８乃至図１４のフローチャートを参照して説明する。
【００８１】
まず、クライアント端末１４の電源が投入された後、ＣＰＵ１６は、クライアント端末１４の電源が切断されるまでの間、印刷ジョブの出力に関する割込要求を確認するジョブ確認処理、認証順番通知信号の入力の有無を割込確認する通知信号確認処理、認証入力要求信号の入力の有無を割込確認する要求信号確認処理を、それぞれに個別に設定された適当な周期毎に、繰り返し実行する。
【００８２】
このうち、ジョブ確認処理では、図８に示すように、図３の印刷設定画面においてＯＫボタンが（入力部１９の操作によって）クリック操作されたか否かを確認し（ステップＳ１ａ）、クリック操作されていない場合は（ステップＳ１ａでＮＯ）、ＣＰＵ１６は、ジョブ確認処理を終了する。一方、ＯＫボタンがクリック操作された場合は（ステップＳ１ａでＹＥＳ）、ＣＰＵ１６は、図１１を参照して後述する印刷ジョブ生成出力処理を行った後（ステップＳ１ｂ）、ジョブ確認処理を終了する。
【００８３】
また、通知信号確認処理では、図９に示すように、インクジェット記録装置１の制御ユニット１０から認証順番通知信号が入力されたか否かを確認し（ステップＳ３ａ）、入力された場合は（ステップＳ３ａでＹＥＳ）、ＣＰＵ１６は、図１２を参照して後述する認証順番通知処理を行った後（ステップＳ３ｂ）、通知信号確認処理を終了する。一方、認証順番通知信号が入力されていない場合は（ステップＳ３ａでＮＯ）、ＣＰＵ１６は、図１３を参照して後述する照会処理を行った後（ステップＳ３ｃ）、通知信号確認処理を終了する。
【００８４】
さらに、要求信号確認処理では、図１０に示すように、インクジェット記録装置１の制御ユニット１０から認証入力要求信号が入力されたか否かを確認し（ステップＳ５ａ）、入力されていない場合は（ステップＳ５ａでＮＯ）、ＣＰＵ１６は、要求信号確認処理を終了する。一方、認証入力要求信号が入力された場合は（ステップＳ５ａでＹＥＳ）、ＣＰＵ１６は、図１４を参照して後述する認証入力要求報知処理を行った後（ステップＳ５ｂ）、要求信号確認処理を終了する。
【００８５】
そして、図８のステップＳ１ｂにおける印刷ジョブ生成出力処理において、ＣＰＵ１６は、図１１に示すように、現在アプリケーションプログラム上でファイルを開いた原稿画像のファイルデータから、印刷ジョブを生成する（ステップＳ１１）。
【００８６】
次に、ＣＰＵ１６は、図３の印刷設定画面において「認証を行う」のチェックボックスがチェックされているか否かを確認し（ステップＳ１３）、チェックされていない場合は（ステップＳ１３でＮＯ）、後述するステップＳ１７に処理を移行する。
【００８７】
一方、「認証を行う」のチェックボックスがチェックされている場合は（ステップＳ１３でＹＥＳ）、ＣＰＵ１６は、印刷ジョブの認証入力を要求するメッセージを出力部２０に表示させる告知タイミングを示す告知タイミング情報を生成する（ステップＳ１５）。この告知タイミング情報は、図４のプロパティ画面の画面上でラジオボタンのクリック操作により選択指定された選択肢（ａ）〜（ｅ）の内容を、告知タイミングの設定内容とするものである。告知タイミング情報を生成した後、ＣＰＵ１６は、処理をステップＳ１７に移行する。
【００８８】
ステップＳ１７では、ステップＳ１１で生成した印刷ジョブに、ステップＳ１５で告知タイミング情報が生成された場合にはこれを付加して、インクジェット記録装置１の制御ユニット１０に出力する。その後、ＣＰＵ１６は、印刷ジョブ生成出力処理を終了する。
【００８９】
次に、図９のステップＳ３ｂにおける認証順番通知処理で、ＣＰＵ１６は、図１２に示すように、インクジェット記録装置１の制御ユニット１０から入力された認証順番通知信号に基づいて、認証順番通知画面の表示データを生成し（ステップＳ３１）、生成した表示データを用いて出力部２０に、図５に示すような認証順番通知画面を表示させる（ステップＳ３３）。その後、ＣＰＵ１６は、認証順番通知処理を終了する。
【００９０】
続いて、図９のステップＳ３ｃにおける照会処理で、ＣＰＵ１６は、図１３に示すように、所定の照会周期が到来したか否かを確認し（ステップＳ４１）、到来していない場合は（ステップＳ４１でＮＯ）、ＣＰＵ１６は、処理を後述するステップＳ４５に移行する。一方、照会周期が到来した場合は（ステップＳ４１でＹＥＳ）、インクジェット記録装置１の制御ユニット１０に照会信号を出力する（ステップＳ４３）。その後、ＣＰＵ１６は、照会処理を終了する。
【００９１】
また、ステップＳ４１において、所定の照会周期が到来していない場合（ＮＯ）に進むステップＳ４５では、ＣＰＵ１６は、インクジェット記録装置１の制御ユニット１０から照会回答信号が入力されたか否かを確認する。入力されていない場合は（ステップＳ４５でＮＯ）、ＣＰＵ１６は、照会処理を終了する。照会回答信号が入力された場合は（ステップＳ４５でＹＥＳ）、出力部２０に表示させる図５の認証順番通知画面の内容を、ステップＳ４５で入力を確認した照会回答信号の示す受付開始タイミングまでの残り待ち時間及び認証待ち順番のない用に応じて更新する（ステップＳ４７）。その後、ＣＰＵ１６は、照会処理を終了する。
【００９２】
次に、図１０のステップＳ５ｂにおける認証入力要求報知処理において、ＣＰＵ１６は、図１４に示すように、インクジェット記録装置１の制御ユニット１０から入力された認証入力要求信号に基づいて、認証入力要求画面の表示データを生成し（ステップＳ５１）、生成した表示データを用いて出力部２０に、図６や図７に示すような認証入力要求画面を表示させる（ステップＳ５３）。その後、ＣＰＵ１６は、認証入力要求報知処理を終了する。
【００９３】
以上の説明からも明らかなように、本実施形態においては、図３の印刷設定画面や図４のプロパティ画面を表示する図１のクライアント端末１４の出力部２０と、これらの各画面におけるクリック操作に用いられる入力部１９と、図１１のフローチャートにおけるステップＳ１３及びステップＳ１５の各処理を実行するＣＰＵ１６とによって、請求項中の設定手段が構成されている。
【００９４】
また、本実施形態においては、図１１中のステップＳ１７が、請求項中の告知出力手段に対応する処理となっており、図１４のフローチャートにおけるステップＳ５３が、請求項中の出力制御手段に対応する処理となっている。
【００９５】
図１のインクジェット記録装置１のディスプレイ１１０には、通常、基本入力画面が表示されている。この基本入力画面には、４つのタブがあり、そのうち「認証入力」のタブを画面上でタッチ操作して、図１５に示す「認証入力」ボタンをさらにタッチ操作すると、図１６に示す認証待ちジョブリスト画面がオーバーラップ表示される。
【００９６】
認証待ちジョブリスト画面には、インクジェット記録装置１の制御ユニット１０にクライアント端末１４から入力された印刷ジョブが入力順にリストアップされている。そして、各印刷ジョブについて、「印刷順番」、「クライアントＩＤ」、「認証待ち順番」、「待ち時間」、「設定情報」、「認証受付」の各項目の内容が表示されている。
【００９７】
このうち、「印刷順番」は、その印刷ジョブの制御ユニット１０への入力順番によって決まる印刷処理の順番を示すものである。また、「クライアントＩＤ」は、印刷ジョブの出力元のクライアント端末１４にユニークに付与された２ケタの番号である。さらに、「認証待ち順番」は、印刷ジョブと共に入力された告知タイミング情報によって設定された告知タイミングを早い順で示すものである。
【００９８】
また、「待ち時間」は、認証入力の受け付けが可能な受付開始タイミングまでの残り時間である。さらに、「設定情報」は、告知タイミング情報によって示される告知タイミングの設定内容を示すものである。なお、告知タイミングの設定内容は、クライアント端末１４の出力部２０に表示される図４のプロパティ画面の画面上で選択指定された、（ａ）〜（ｅ）の選択肢の符号によって、認証待ちジョブリスト画面に表示される。
【００９９】
図１６の認証待ちジョブリスト画面においては、「認証受付」の欄に「可」と表示されている印刷ジョブをタッチ操作によって選択すると、認証待ちジョブリスト画面に代わって図１７の認証入力受付画面がオーバーラップ表示される。
【０１００】
認証入力受付画面には、認証待ちジョブリスト画面において選択した印刷ジョブの認証入力項目が表示される。印刷ジョブの認証には、既知の様々な方式を利用することができる。ここでは、外部記憶装置９３に記憶されたテーブルを利用して、クライアントＩＤと対応付けたユーザＩＤと、このユーザＩＤと関連付けたパスワード、生体認証データ、又は、個体識別コードとの２つの要素を正しい内容で入力することで、印刷ジョブの認証を行えるものとする。
【０１０１】
したがって、図１７の認証入力受付画面には、図１６の認証待ちジョブリスト画面において選択した印刷ジョブのクライアントＩＤに対応するユーザＩＤがデフォルト表示され、このユーザＩＤに対応するパスワード、生体認証データ、又は、個体識別コードの入力を要求する欄（又はそのメッセージ）が表示される。
【０１０２】
ユーザＩＤに対応するパスワード、生体認証データ、又は、個体識別コードの入力は、次のようにして行うことができる。まず、パスワードの入力は、例えば、認証入力受付画面上のテンキーボタンのタッチ操作によりディスプレイ１１０にテンキー等を表示させて、そのタッチ操作によって行わせることができる。生体認証データの入力は、例えば、認証入力受付画面上の生体認証ボタンのタッチ操作により、インクジェット記録装置１に用意した不図示のスキャナを有効とし、これによって手の静脈や指紋等のパターンを読み取ることで行わせることができる。個体識別コードの入力は、例えば、インクジェット記録装置１に用意した電子式や磁気式のカードリーダを用いて行わせることができる。正しい認証入力が行われると、ディスプレイ１１０の表示が図１５の基本入力画面に戻り、その印刷ジョブが実行される。
【０１０３】
本実施形態のインクジェット記録装置１における以上のような動作は、制御ユニット１０のＣＰＵ９０がＲＯＭ９１に格納された制御プログラムを実行することで実現される。この制御プログラムを実行することでＣＰＵ９０が行う処理の手順を、図１８乃至図２３のフローチャートを参照して説明する。
【０１０４】
まず、インクジェット記録装置１の電源が投入された後、ＣＰＵ９０は、インクジェット記録装置１の電源が切断されるまでの間、印刷ジョブ受付割込要求確認処理、認証要求タイミング割込要求確認処理、及び、認証入力割込要求確認処理を、それぞれに個別に設定された適当な周期毎に、繰り返し実行する。
【０１０５】
このうち、印刷ジョブ受付割込要求確認処理では、図１８に示すように、印刷ジョブが入力されたか否かを確認し（ステップＳ１０１ａ）、入力されていない場合は（ステップＳ１０１ａでＮＯ）、ＣＰＵ９０は、印刷ジョブ割込要求確認処理を終了する。一方、印刷ジョブが入力された場合は（ステップＳ１０１ａでＹＥＳ）、ＣＰＵ９０は、図２１を参照して後述する印刷ジョブ受付処理を行った後（ステップＳ１０１ｂ）、印刷ジョブ割込要求確認処理を終了する。
【０１０６】
また、認証要求タイミング割込要求確認処理では、図１９に示すように、ＲＡＭ９２の認証要求タイミング監視フラグが「１」であるか否かを確認し（ステップＳ３０１ａ）、「１」でない場合は（ステップＳ３０１ａでＮＯ）、ＣＰＵ９０は、認証要求タイミング割込要求確認処理を終了する。一方、認証要求タイミング監視フラグが「１」である場合は（ステップＳ３０１ａでＹＥＳ）、ＣＰＵ９０は、図２２を参照して後述する認証要求管理処理を行った後（ステップＳ３０１ｂ）、認証要求タイミング割込要求確認処理を終了する。
【０１０７】
さらに、認証入力割込要求確認処理では、図２０に示すように、図１６の認証待ちジョブリスト画面において、認証入力の受付開始タイミングが既に到来している印刷ジョブが選択指定されたか否かを確認する（ステップＳ５０１ａ）。この確認は、図１６の認証待ちジョブリスト画面における、「認証受付」の欄に「可」と表示されている印刷ジョブがタッチ操作されたか否かによって、行うことができる。
【０１０８】
選択指定されていない場合は（ステップＳ５０１ａでＮＯ）、ＣＰＵ９０は、認証入力割込要求確認処理を終了する。一方、選択指定された場合は（ステップＳ５０１ａでＹＥＳ）、ＣＰＵ９０は、図２３を参照して後述する認証入力受付処理を行った後（ステップＳ５０１ｂ）、認証入力割込要求確認処理を終了する。
【０１０９】
そして、図１８のステップＳ１０１ｂにおける印刷ジョブ受付処理において、ＣＰＵ９０は、図２１に示すように、入力された印刷ジョブの中間データから原稿画像の印刷用のラスタデータを生成すると共に、印刷ジョブの印刷環境データや属性データに基づいて、印刷条件を示す印刷条件データを生成し、それらのデータを、印刷ジョブの出力元のクライアント端末１４のクライアントＩＤと関連付けて、待機中の印刷ジョブとして外部記憶装置９３に格納する（ステップＳ１１１）。このとき、外部記憶装置９３に記憶された待機中（認証入力待ち）の印刷ジョブのリストに、入力された印刷ジョブを追加するリストの更新も行う。その後、ＣＰＵ９０は、ステップＳ１１３に処理を移行する。
【０１１０】
ステップＳ１１３では、外部記憶装置９３に既に格納されている他の待機中の印刷ジョブの内容（その印刷ジョブによる原稿画像の印刷処理内容等）に基づいて、図１８のステップＳ１０１ａで入力を確認した印刷ジョブに対する認証入力の受け付けが可能となる受付開始タイミングを、演算により推定し、このように演算により推定した受付開始タイミングを、入力された印刷ジョブの出力元のクライアント端末１４のクライアントＩＤと関連付けて、外部記憶装置９３に格納する。この受付開始タイミングが実際に到来すると、図１６の認証待ちジョブリスト画面における「認証受付」の欄の表示が「可」となる。
【０１１１】
続いて、図１８のステップＳ１０１ａで入力を確認した印刷ジョブと共に告知タイミング情報が入力されたか否かを確認し（ステップＳ１１５）、入力されていない場合は（ステップＳ１１５でＮＯ）、ＣＰＵ９０は、処理を後述するステップＳ１２３に移行する。一方、入力された場合は（ステップＳ１１５でＹＥＳ）、入力された告知タイミング情報において設定された告知タイミングと、ステップＳ１１３で推定した受付開始タイミングとに基づいて、図１８のステップＳ１０１ａで入力を確認した印刷ジョブに対する認証入力を要求する認証要求タイミングを決定する。そして、決定した認証要求タイミングを、その印刷ジョブの出力元のクライアント端末１４のクライアントＩＤと関連付けて、外部記憶装置９３に格納する（ステップＳ１１７）。
【０１１２】
例えば、告知タイミング情報において設定された告知タイミングが、図４のプロパティ画面の選択肢（ａ）の内容である場合は、図１８のステップＳ１０１ａで入力を確認した印刷ジョブの１つ前に入力された印刷ジョブによる印刷処理の完了直後を、図１８のステップＳ１０１ａで入力を確認した印刷ジョブの認証要求タイミングとして決定する。
【０１１３】
なお、認証要求タイミングが、ステップＳ１１３で推定した受付開始タイミングよりも後の時点である場合に、外部記憶装置９３に格納された受付開始タイミングを、ステップＳ１１７で決定した認証要求タイミングと同じタイミングに更新するようにしてもよい。
【０１１４】
次に、ＣＰＵ９０は、認証要求タイミング監視フラグが「１」であるか否かを確認し（ステップＳ１１９）、「１」である場合は（ステップＳ１１９でＹＥＳ）、ＣＰＵ９０は、処理をステップＳ１２３に移行する。一方、「１」でない場合は（ステップＳ１１９でＮＯ）、ＣＰＵ９０は、認証要求タイミング監視フラグを「１」に設定した後（ステップＳ１２１）、処理をステップＳ１２３に移行する。
【０１１５】
ステップＳ１２３では、ＣＰＵ９０は、図１８のステップＳ１０１ａで入力を確認した印刷ジョブについての認証順番通知信号を生成し、その印刷ジョブの出力元のクライアント端末１４に出力する。この認証順番通知信号には、印刷ジョブのジョブ名、外部記憶装置９３に格納された待機中の全印刷ジョブ中における、ステップＳ１１３で推定した認証入力の受付開始タイミングが到来する順番（認証待ち順番）、そして、認証入力の受付開始タイミングが到来するまでの予想待ち時間の各情報が含まれる。この後、ＣＰＵ９０は、印刷ジョブ受付処理を終了する。
【０１１６】
次に、図１９のステップＳ３０１ｂにおける認証要求管理処理において、ＣＰＵ９０は、図２２に示すように、クライアント端末１４から照会信号が入力されたか否かを確認し（ステップＳ３１１）、入力された場合は（ステップＳ３１１でＹＥＳ）、ＣＰＵ９０は、照会回答信号を照会信号の出力元のクライアント端末１４に出力して（ステップＳ３１２）、認証要求管理処理を終了する。この照会回答信号には、受付開始タイミングが到来していないことと、受付開始タイミングまでの残り待ち時間との各情報が含まれる。
【０１１７】
一方、クライアント端末１４から照会信号が入力されていない場合は（ステップＳ３１１でＮＯ）、ＣＰＵ９０は、外部記憶装置９３に格納されている認証要求タイミングの中に、そのタイミングが実際に到来した認証要求タイミングが存在するか否かを確認する（ステップＳ３１３）。
【０１１８】
タイミングが到来した認証要求タイミングが存在しない場合は（ステップＳ３１３でＮＯ）、認証要求管理処理を終了する。一方、存在する場合は（ステップＳ３１３でＹＥＳ）、その認証要求タイミングと関連付けられたクライアントＩＤに対応するクライアント端末１４に対して、認証入力を要求する認証入力要求信号を出力する（ステップＳ３１５）。
【０１１９】
このとき、先に入力された印刷ジョブによる印刷処理を実行する上で必要な用紙、インク等に、印刷処理の実行を不可能とする要素（用紙不足、インク不足等）がある場合には、その旨を示すウォーニング情報を認証入力要求信号に含めて出力するようにしてもよい。
【０１２０】
また、認証要求タイミングがすでに到来して認証入力要求信号を出力した時点から所定時間後の受付終了タイミングまでの間、認証入力がディスプレイ１１０等から行われなかった場合に、再度、同じクライアント端末１４に対して認証入力要求信号を出力する（ステップＳ３１５として）ようにしてもよい。あるいは、受付終了タイミングの時点で、次の待機中の印刷ジョブの出力元のクライアント端末１４に対して認証入力要求信号を出力するようにしてもよい（ステップＳ３１５として）。そして、ＣＰＵ９０は、認証要求管理処理を終了する。
【０１２１】
続いて、図２０のステップＳ５０１ｂにおける認証入力受付処理において、ＣＰＵ９０は、図２３に示すように、図１７の認証入力受付画面上で、パスワード、生体認証データ、又は、個体識別コード等による認証の入力を受け付ける（ステップＳ５１１）。
【０１２２】
ここで、認証入力の受付開始タイミングが到来した時点から所定時間後の受付終了タイミングまでの間、認証の入力を受け付ける対象の印刷ジョブを、直近に受付開始タイミングが到来した印刷ジョブのみに限定するようにしてもよい。また、受付終了タイミングの到来まで、対象となる印刷ジョブの認証入力がなかった場合に、次の待機中の印刷ジョブに対する認証の入力を限定的に（又は優先的に）受け付けるようにしてもよい。
【０１２３】
そして、受け付けた認証入力の内容が、外部記憶装置９３のテーブルにおいて、図１７の認証入力受付画面にデフォルト表示されているユーザＩＤと関連付けられた内容と一致する、正当な内容のものであるか否かを確認する（ステップＳ５１３）。
【０１２４】
受け付けた認証入力の内容が正当なものでない場合は（ステップＳ５１３でＮＯ）、ＣＰＵ９０は、認証入力受付処理を終了する。正当なものである場合は（ステップＳ５１３でＹＥＳ）、ＣＰＵ９０は、受け付けた認証入力の対象となる印刷ジョブによる印刷処理を実行する（ステップＳ５１５）。この印刷処理は、受け付けた認証入力の対象となる印刷ジョブについて外部記憶装置９３に格納されている原稿画像の印刷用のラスタデータや、印刷環境データ、属性データに基づいて実行される。
【０１２５】
ここで、印刷環境データは、原稿画像の印刷環境に関する設定内容のデータを含む。この印刷環境データには、例えば、原稿画像の原稿サイズ、印刷サイズ（印刷倍率）、ページ数、印刷に使用する記録紙Ｓの種類、印刷する際の解像度を示すモード（高品質モード、通常品質モード）、及び、記録紙Ｓにおけるデータ原稿の画像のレイアウト設定の各内容を示すデータが含まれる。レイアウト設定においては、データ原稿の画像を印刷する記録紙Ｓの印刷面（両面印刷又は片面印刷）や、画像の集約又は分割（面付け印刷）の有無及びその内容等が指定される。
【０１２６】
また、属性データは、写真の解像度を示すモード（高精細モード、標準モード）のデータや、文字の印刷に用いるフォント、文字の大きさ、文字飾り等の設定内容を示すデータを含む。
【０１２７】
次に、ＣＰＵ９０は、印刷処理を実行した印刷ジョブに関して外部記憶装置９３に格納されている、印刷ジョブの内容、受付開始タイミング、認証要求タイミング等を全て消去する（ステップＳ５１７）。そして、外部記憶装置９３に待機中の印刷ジョブやそれに関する受付開始タイミング、認証要求タイミングがまだ格納されているか否かを確認する（ステップＳ５１９）。
【０１２８】
まだ格納されている場合は（ステップＳ５１９でＹＥＳ）、ＣＰＵ９０は、認証入力受付処理を終了する。格納されていない場合は（ステップＳ５１９でＮＯ）、ＣＰＵ９０は、認証要求タイミング監視フラグを「０」に設定した後（ステップＳ５２１）、認証入力受付処理を終了する。
【０１２９】
以上の説明からも明らかなように、本実施形態のインクジェット記録装置１においては、図２１のフローチャートにおけるステップＳ１１３が、請求項中の推定手段に対応する処理となっており、図２１中のステップＳ１１７が、請求項中の決定手段に相当する処理となっている。
【０１３０】
また、本実施形態のインクジェット記録装置１においては、図２２のフローチャートにおけるステップＳ３１５が、請求項中の要求手段や情報出力手段に相当する処理となっており、図２３のフローチャートにおけるステップＳ５１１が、請求項中の制限手段に相当する処理となっている。
【０１３１】
次に、クライアント端末１４のＣＰＵ１６とインクジェット記録装置１の制御ユニット１０のＣＰＵ９０とが上述した手順による処理をそれぞれ実行する、本実施形態のプリンタネットワークシステムにおける印刷ジョブの認証に関する動作の流れを、図２４の説明図を参照して説明する。
【０１３２】
まず、クライアント端末１４からインクジェット記録装置１の制御ユニット１０に印刷ジョブが出力されると、これと共に、印刷ジョブの認証入力を要求するメッセージを出力部２０に表示させるタイミング（告知タイミング）の内容を示す告知タイミング情報が、クライアント端末１４から制御ユニット１０に出力される（図２４の（１））。ここでは、クライアント端末１４の出力部２０に表示された図４のプロパティ画面上の（ａ）の選択肢（１つ前の印刷ジョブ（インクジェット記録装置１への入力順が１つ早い印刷ジョブ）による印刷処理の完了直後）が、告知タイミングとして選択指定されたものとする。
【０１３３】
印刷ジョブが入力された制御ユニット１０では、その印刷ジョブが外部記憶装置９３の待機中の印刷ジョブのリストに登録されると共に、印刷ジョブと共に入力された告知タイミング情報によって示される告知タイミングが、入力元のクライアント端末１４のクライアントＩＤと関連付けて、外部記憶装置９３に記憶される。また、入力された印刷ジョブに対する認証入力の受付開始タイミングが推定される（以上、図２４の（２））。
【０１３４】
そして、制御ユニット１０から印刷ジョブの出力元のクライアント端末１４に対して、認証順番通知信号が出力される。この認証順番通知信号によって、待機中の印刷ジョブとして登録した印刷ジョブのジョブ名、つまり、クライアント端末１４から入力された印刷ジョブのジョブ名が、クライアント端末１４に通知される。また、推定された認証入力の受付開始タイミングが、外部記憶装置９３に格納された待機中の全印刷ジョブ中の何番目に到来するかを示す認証待ち順番と、認証入力の受付開始タイミングが到来するまでの予想待ち時間とが、認証順番通知信号によってクライアント端末１４に通知される（以上、図２４の（３））。
【０１３５】
これらが通知されたクライアント端末１４から制御ユニット１０には、以後、照会信号が入力される（図２４の（４））。そして、照会信号が入力されると、制御ユニット１０では、外部記憶装置９３に記憶させた認証入力の受付開始タイミングが到来するまでの間、受付開始タイミングが到来していないことと、受付開始タイミングまでの残り待ち時間と、認証待ち順番とが確認され（図２４の（５））、それらが照会回答信号としてクライアント端末１４に通知される（図２４の（６））。
【０１３６】
そして、上述したクライアント端末１４から制御ユニット１０に対する照会信号の入力と（図２４の（４））、それに応じた制御ユニット１０による確認（図２４の（５））やクライアント端末１４への照会回答信号の出力による通知は（図２４の（６））、認証入力要求信号が制御ユニット１０から入力されるまでの間、一定時間周期で繰り返し実行される。
【０１３７】
また、クライアント端末１４から制御ユニット１０に出力された印刷ジョブの１つ前に入力された印刷ジョブが実行されて、プリンタ部１０２においてその印刷処理が終了すると（図２４の（７））、認証入力の受付開始タイミングが到来したこと、及び、認証入力を要求する告知タイミングが到来したことが、制御ユニット１０で確認される（図２４の（８））。そして、認証入力要求信号がクライアント端末１４に入力されて、図６や図７に示す認証入力要求画面が出力部２０に表示される（図２４の（９））。
【０１３８】
そして、この認証入力要求画面を見てインクジェット記録装置１に移動したクライアント端末１４のユーザによって、ディスプレイ１１０等から認証入力が行われると、制御ユニット１０によってその入力内容が正当であるか否かが確認される。入力された認証が正当な内容であると制御ユニット１０において確認されると（図２４の（１０））、制御ユニット１０からプリンタ部１０２に、認証された印刷ジョブに関する印刷指示が出力され（図２４の（１１））、プリンタ部１０２においてその印刷ジョブに対応する印刷処理が実行される（図２４の（１２））。
【０１３９】
なお、図２４の説明図を参照して説明した上述の印刷ジョブの認証に関する動作の流れは、告知タイミング情報において設定された告知タイミングが、図４のプロパティ画面の選択肢（ａ）の内容である場合を前提とするものである。したがって、告知タイミングの設定が異なると、それに応じて印刷ジョブの認証に関する動作の流れも若干異なったものとなる。
【０１４０】
例えば、告知タイミング情報において設定された告知タイミングが、図４のプロパティ画面の選択肢（ｂ）の内容（１つ前の印刷ジョブによる印刷処理の完了○○分××秒前）である場合は、図２４の（７），（８）の動作の内容が、図２５の説明図に示す内容に変わる。
【０１４１】
即ち、クライアント端末１４から制御ユニット１０に出力された印刷ジョブの１つ前に入力された印刷ジョブによる印刷処理がプリンタ部１０２において開始されると（図２５の（７´））、制御ユニット１０によって、その印刷ジョブによる印刷処理の予想終了時間が推定される。また、推定した予想終了時間から逆算して、告知タイミング情報に示された告知タイミング（印刷処理の完了○○分××秒前）が到来したか否か、のタイマ確認が、制御ユニット１０によって行われる（図２５の（８´））。
【０１４２】
そして、告知タイミングが到来すると、制御ユニット１０からクライアント端末１４に認証入力要求信号が入力されて、図６や図７に示す認証入力要求画面が出力部２０に表示される（図２４の（９））。それ以後の動作は、図２４の説明図を参照して説明した内容と同じである。
【０１４３】
このように、本実施形態のプリンタネットワークシステムによれば、クライアント端末１４から印刷対象の原稿画像の印刷要求を入力部１９から入力した際に、図４のプロパティ画面を出力部２０に表示させることで、印刷ジョブの認証入力を要求するメッセージを出力部２０に表示させる告知タイミングを（ａ）〜（ｅ）の選択肢から選択指定することができる。そして、選択指定した告知タイミングの情報を印刷ジョブと共にインクジェット記録装置１の制御ユニット１０に出力することができる。
【０１４４】
また、本実施形態のプリンタネットワークシステムによれば、印刷ジョブと共に告知タイミング情報が入力された制御ユニット１０によって、入力された印刷ジョブに対する認証入力の受付開始タイミングが推定される。これと共に、告知タイミング情報から告知タイミングが制御ユニット１０によって決定され、かつ、その告知タイミングが到来した時点で、認証入力を要求する認証入力要求信号が、認証の対象となる印刷ジョブの出力元のクライアント端末１４に出力される。
【０１４５】
したがって、認証入力要求信号が入力されたクライアント端末１４の出力部２０に、先に出力した印刷ジョブに対する認証入力を要求する認証入力要求画面を、告知タイミングとして選択指定したタイミングで表示させ、クライアント端末１４のユーザに所望のタイミングで印刷ジョブの認証入力にインクジェット記録装置１へ向かわせることができる。
【０１４６】
これにより、複数台のクライアント端末１４と複数台のインクジェット記録装置１をネットワーク接続して、複数のユーザが複数台のインクジェット記録装置１を共有する場合に、印刷ジョブに対する認証入力の滞留を減らして、インクジェット記録装置１の配置や台数の最適化を図りやすいようにすることができる。
【０１４７】
なお、上述した実施形態のクライアント端末１４では、出力部２０に表示される図３の印刷設定画面において、「認証を行う」のチェックボックスがチェックされていない場合は、認証入力要求画面を出力部２０に表示させる告知タイミングを示す告知タイミング情報が、印刷ジョブと共にはインクジェット記録装置１の制御ユニット１０に出力されない。その場合には、認証入力の受け付けタイミングが到来しても認証入力要求画面が出力部２０に表示されない。
【０１４８】
このようにするための構成は、省略してもよい。省略した場合は、全ての印刷ジョブに対して告知タイミング情報が必ず付随して出力され、認証入力の受付開始タイミングが到来すると認証入力要求画面が出力部２０に必ず表示されることになる。
【０１４９】
なお、本実施形態では、全ての印刷ジョブが認証を必要とする認証用プリンタをインクジェット記録装置１として用いる場合を例に取って説明したが、印刷ジョブ毎にユーザがセキュリティ設定（認証の要否）を任意に行うことができる、認証対応型のプリンタをインクジェット記録装置１として用いる場合にも、本発明は適用可能である。
【０１５０】
また、上述した実施形態では、インクジェット方式で原稿画像の印刷を行うインクジェット記録装置１やこれに接続するクライアント端末１４、あるいは、それぞれにおいて使用されるプリンタ制御プログラムやプリンタドライバプログラムを例に取って説明した。しかし、本発明はインクジェット方式に限らず、電子写真方式や孔版印刷方式等のインクジェット方式以外の方式によるプリンタや、このプリンタ又は接続されるクライアント端末において使用されるプリンタ制御プログラムやプリンタドライバプログラムにも、広く適用することができる。
【０１５１】
さらに、上述した実施形態では、クライアント端末１４のディスクドライブ２２により光学ディスク等のディスク状記録媒体５０から読み取って、外部記憶装置２１にインストールする（記憶させる）プリンタドライバプログラムを例に取って説明した。しかし、本発明は、クライアント端末１４のディスクドライブ２２に直接プリインストールされるプリンタドライバプログラムであっても適用可能である。
【図面の簡単な説明】
【０１５２】
【図１】本発明の一実施形態に係るプリンタネットワークシステムの概略構成を示すブロック図である。図２のインクジェット記録装置の制御系の構成を示すブロック図
【図２】図１のインクジェット記録装置の概略構成を示す説明図である。
【図３】本発明の一実施形態に係る、図１のクライアント端末の出力部において表示される原稿画像の印刷設定画面を示す説明図である。
【図４】本発明の一実施形態に係る、図１のクライアント端末の出力部において表示される認証順番到来通知設定のプロパティ画面を示す説明図である。
【図５】本発明の一実施形態に係る、図１のクライアント端末の出力部において表示される認証順番通知画面を示す説明図である。
【図６】本発明の一実施形態に係る、図１のクライアント端末の出力部において表示される認証順番通知画面を示す説明図である。
【図７】本発明の一実施形態に係る、図１のクライアント端末の出力部において表示される認証順番通知画面を示す説明図である。
【図８】本発明の一実施形態に係る、図１のクライアント端末のＣＰＵが行う原稿画像の印刷処理の手順を示すフローチャートである。
【図９】本発明の一実施形態に係る、図１のクライアント端末のＣＰＵが行う原稿画像の印刷処理の手順を示すフローチャートである。
【図１０】本発明の一実施形態に係る、図１のクライアント端末のＣＰＵが行う原稿画像の印刷処理の手順を示すフローチャートである。
【図１１】本発明の一実施形態に係る、図１のクライアント端末のＣＰＵが行う原稿画像の印刷処理の手順を示すフローチャートである。
【図１２】本発明の一実施形態に係る、図１のクライアント端末のＣＰＵが行う原稿画像の印刷処理の手順を示すフローチャートである。
【図１３】本発明の一実施形態に係る、図１のクライアント端末のＣＰＵが行う原稿画像の印刷処理の手順を示すフローチャートである。
【図１４】本発明の一実施形態に係る、図１のクライアント端末のＣＰＵが行う原稿画像の印刷処理の手順を示すフローチャートである。
【図１５】本発明の一実施形態に係る、図１のインクジェット記録装置のディスプレイにおいて表示される基本入力画面を示す説明図である。
【図１６】本発明の一実施形態に係る、図１のインクジェット記録装置のディスプレイにおいて表示される認証待ちジョブリスト画面を示す説明図である。
【図１７】本発明の一実施形態に係る、図１のインクジェット記録装置のディスプレイにおいて表示される認証入力受付画面を示す説明図である。
【図１８】本発明の一実施形態に係る、図１のインクジェット記録装置の制御ユニットのＣＰＵが行う原稿画像の印刷処理の手順を示すフローチャートである。
【図１９】本発明の一実施形態に係る、図１のインクジェット記録装置の制御ユニットのＣＰＵが行う原稿画像の印刷処理の手順を示すフローチャートである。
【図２０】本発明の一実施形態に係る、図１のインクジェット記録装置の制御ユニットのＣＰＵが行う原稿画像の印刷処理の手順を示すフローチャートである。
【図２１】本発明の一実施形態に係る、図１のインクジェット記録装置の制御ユニットのＣＰＵが行う原稿画像の印刷処理の手順を示すフローチャートである。
【図２２】本発明の一実施形態に係る、図１のインクジェット記録装置の制御ユニットのＣＰＵが行う原稿画像の印刷処理の手順を示すフローチャートである。
【図２３】本発明の一実施形態に係る、図１のインクジェット記録装置の制御ユニットのＣＰＵが行う原稿画像の印刷処理の手順を示すフローチャートである。
【図２４】本発明の一実施形態に係るプリンタネットワークシステムの印刷ジョブの認証に関する動作の流れを示す説明図である。
【図２５】本発明の一実施形態に係るプリンタネットワークシステムの印刷ジョブの認証に関する動作の流れを示す説明図である。
【符号の説明】
【０１５３】
１  インクジェット記録装置（プリンタ装置）
１０  制御ユニット
１１  外部インターフェイス部
１４  クライアント端末（プリンタドライバ装置）
１５  外部インターフェイス部
１６  ＣＰＵ（情報出力手段、設定手段、告知出力手段、出力制御手段）
１７  ＲＯＭ
１８  ＲＡＭ
１９  入力部（設定手段）
２０  出力部（設定手段、メッセージ出力手段）
２１  外部記憶装置
２２  ディスクドライブ
５０  ディスク状記録媒体
９０  ＣＰＵ（推定手段、決定手段、要求手段、制限手段、情報出力手段）
９１  ＲＯＭ
９２  ＲＡＭ
９３  外部記憶装置
１０１  スキャナ部
１０２  プリンタ部
１０５  給紙部
１０９  排紙部
１１０  ディスプレイ（受付手段）
Ｓ  記録紙
【図１】
2010082807.tif 000003
【図２】
2010082807.tif 000004
【図３】
2010082807.tif 000005
【図４】
2010082807.tif 000006
【図５】
2010082807.tif 000007
【図６】
2010082807.tif 000008
【図７】
2010082807.tif 000009
【図８】
2010082807.tif 000010
【図９】
2010082807.tif 000011
【図１０】
2010082807.tif 000012
【図１１】
2010082807.tif 000013
【図１２】
2010082807.tif 000014
【図１３】
2010082807.tif 000015
【図１４】
2010082807.tif 000016
【図１５】
2010082807.tif 000017
【図１６】
2010082807.tif 000018
【図１７】
2010082807.tif 000019
【図１８】
2010082807.tif 000020
【図１９】
2010082807.tif 000021
【図２０】
2010082807.tif 000022
【図２１】
2010082807.tif 000023
【図２２】
2010082807.tif 000024
【図２３】
2010082807.tif 000025
【図２４】
2010082807.tif 000026
【図２５】
2010082807.tif 000027